(57)【要約】【課題】分割コア１２の周方向への移動の防止（分割コアの円環状固定）を安価かつ簡単な構造により行い、かつ小型高出力に耐え得るステータＳとする。【課題手段】筒状ハウジング１１内にその内面に沿って円環状に分割コア１２を配置し、その各分割コア１２にそれぞれにコイル１３を巻回した回転電機のステータＳである。各分割コア１２を圧粉からなし、その分割コア１２を円環状に配置した外周面に上下２分割の筒状ハウジング１１ａ、１１ｂを嵌め、上下の挟持片１５、１６でもって分割コア１２を挟持締結する。圧紛コアは、高周波性能が良く、小型高出力化に向いている。嵌め込みによる締結は、その嵌め込みトルクを管理し易いため、分割コアの締結力を必要最小限のものとすることができる。環状に配置した分割コア１２の内周面に、その内周面の位置決め用治具を設け、その電磁石機能でもって分割コア１２を吸着してその内面を円環状に位置決めする。【選択図】図５
2007189783.tif 000002
【特許請求の範囲】
【請求項１】
筒状ハウジング１１内にその内面に沿って円環状に分割コア１２を配置し、その各分割コア１２にそれぞれにコイル１３を巻回した回転電機のステータＳにおいて、
各分割コア１２を圧粉からなるものとして、上記ハウジング１１の上下周縁には、上記各分割コア１２の上下面を挟む片１５、１６を内側に向かってそれぞれ形成し、その両挟持片１５、１６の分割コア１２への圧接によりその分割コア１２を挟持したことを特徴とする回転電機のステータ。
【請求項２】
上記上下の挟持片１５、１６の一方にバネ性を持たせたことを特徴とする請求項１に記載の回転電機のステータ。
【請求項３】
上記円環状に配置された分割コア１２は、その内周面を治具２０によって位置決めされたものであることを特徴とする請求項１又は２に記載の回転電機のステータ。
【請求項４】
筒状ハウジング１１内にその内面に沿って円環状に分割コア１２を配置し、その各分割コア１２にそれぞれにコイル１３を巻回した回転電機のステータＳにおいて、
上記円環状に配置された各分割コア１２の隣り合う両分割コア１２のバックヨーク１２ｂの両当接面１２ｃをステータＳの軸方向に対し傾斜する面とし、かつ、上記ハウジング１１の上下周縁には、上記各分割コア１２の上下面を挟む片１５、１６を内側に向かってそれぞれ形成し、その両挟持片１５、１６の分割コア１２への圧接によりその分割コア１２を挟持したことを特徴とする回転電機のステータ。
【請求項５】
上記筒状ハウジング１１を上下２分割のものとし、その分割した両ハウジング１１ａ、１１ｂをその軸方向に結合することによって、上記両挟持片１５、１６の分割コア１２への圧接によりその分割コア１２を挟持したことを特徴とする請求項１〜４のいずれかに記載の回転電機のステータ。
【請求項６】
上記分割コア１２を圧粉製としたことを特徴とする請求項１〜５のいずれかに記載の回転電機のステータ。
【請求項７】
請求項４に記載の回転電機のステータＳ用分割コアであって、上記円環状に配置された各分割コア１２の隣り合う両分割コア１２のバックヨーク１２ｂの両当接面１２ｃがステータＳの軸方向に対し傾斜する面となっていることを特徴とする回転電機のステータに用いる分割コア。
【請求項８】
請求項５に記載の回転電機のステータＳの分割コア締結用ハウジング１１であって、上下２分割のものからなり、その分割した両ハウジング１１ａ、１１ｂの上周縁及び下周縁に各分割コア１２の上面又は下面を挟む片１５、１６が内側に向かってそれぞれ形成されたものであり、その分割した両ハウジング１１ａ、１１ｂをその軸方向に結合することによって、前記両挟持片１５、１６の分割コア１２への圧接によりその分割コア１２を挟持することを特徴とする回転電機のステータＳの分割コア締結用ハウジング。
【請求項９】
筒状ハウジング１１内にその内面に沿って円環状に分割コア１２を配置し、その各分割コア１２にそれぞれにコイル１３を巻回した回転電機のステータＳを製造する方法において、
上記円環状に配置する各分割コア１２の内周面の位置決めを行う治具２０のその位置決め面の周りに、分割コア１２を前記円環状に配置し、その治具２０に電磁石機能を持たせて、その電磁石の吸引力によって、前記円環状に配置する各分割コア１２の内周面を位置決めし、その状態で、円環状の各分割コア１２を相互に固定した後、前記電磁石の吸引力を解除して、治具２０を前記円環状に配置した分割コア１２内から取り出すことを特徴とする回転電機のステータの製造方法。
【請求項１０】
請求項９に記載の回転電機のステータの製造方法に使用する上記治具２０であって、電磁石機能を有して、その電磁石の吸引力により、治具２０周りに円環状に配置された各分割コア１２の内周面を治具２０外周面に当接させて位置決めすることを特徴とする回転電機のステータの製造用治具。
【請求項１１】
上記筒状ハウジング１１を上下２分割のものとし、その分割した両ハウジング１１ａ、１１ｂをその軸方向に嵌合結合することによって、上記両挟持片１５、１６の分割コア１２への圧接によりその分割コア１２を挟持して、上記円環状の分割コア１２を相互に固定することを特徴とする請求項９に記載の回転電機のステータの製造方法。
【請求項１２】
上記円環状に配置された各分割コア１２の隣り合う両分割コア１２のバックヨーク１２ｂの両当接面１２ｃをステータＳの軸方向に対し傾斜する面として、各分割コア１２に前記軸方向の力が加わった際には、その両当接面１２ｃにおいて相互に抗力が生じるようにし、
上記分割した両ハウジング１１ａ、１１ｂをその軸方向に嵌合結合することによって、上記両挟持片の分割コアへの圧接によりその分割コアを挟持するとともに、その圧接力によって、隣接する分割コア１２を、上記その両者の当接面１２ｃ間の摺動でもって相対的に上下方向に移動させるようにしたことを特徴とする請求項１１に記載の回転電機のステータの製造方法。
【請求項１３】
筒状ハウジング１１内にその内面に沿って円環状に分割コア１２を配置し、その各分割コア１２にそれぞれにコイル１３を巻回した回転電機のステータＳを製造する方法において、
上記円環状に配置された各分割コアの隣り合う両分割コア１２のバックヨーク１２ｂの両当接面１２ｃをステータＳの軸方向に対し傾斜する面として、各分割コア１２に前記軸方向の力が加わった際には、その両当接面１２ｃにおいて相互に抗力が生じるようにし、
上記ハウジング１１はその上下周縁に、上記各分割コア１２の上下面を挟む片１５、１６を内側に向かってそれぞれ形成されたものとし、
上記円環状に配置する各分割コア１２の内周面の位置決めを行う治具２０のその位置決め面の周りに前記各分割コア１２を前記円環状に配置し、
その状態で、上記ハウジング１１をその円環状の分割コア１２の外周面に嵌めて、上記両挟持片１５、１６の分割コア１２への圧接によりその分割コア１２を挟持し、その圧接力によって、隣接する分割コア１２を、上記その両者の当接面１２ｃ間の摺動でもって相対的に上下方向に移動させるとともに、その移動により、各分割コア１２を上記治具２０に向かって移動させてその内面を治具２０に圧接させて、前記円環状に配置する各分割コア１２の内周面を位置決めし、
その状態で、円環状の分割コア１２を相互に固定することを特徴とする回転電機のステータの製造方法。
【請求項１４】
上記分割コア１２を圧粉製としたことを特徴とする請求項９、１１〜１３のいずれかに記載の回転電機のステータの製造方法。
【発明の詳細な説明】
【技術分野】
【０００１】
この発明は、ハイブリッド自動車用、燃料電池自動車用等の回転電機（モータ）のステータ及びその製造方法、並びに、そのステータに使用する分割コア及びその分割コア締結用ハウジングに関するものである。
【背景技術】
【０００２】
回転電機のステータＳは、図７に示すように、通常、筒状ハウジング１内にその内面に沿って円環状に分割コア２を配置し、その各分割コア２にそれぞれにコイル３を巻回した構成であり、その中に同一心にロータ４を装填し、前記各コイル３に３相交流電源を供給して各コア２に磁場を形成して前記ロータ４を回転させるものである（特許文献１参照）。
【特許文献１】特開２００３−１５８８３３号公報
【０００３】
このステータＳにおいて、円環状分割コア２の固定は、円環状に並んだ分割コア２の外周面にハウジング１を焼き嵌めする手段が一般的である。しかし、この焼き嵌めによる固定は、十分な固定力を得ようとすれば、勢い、その焼き嵌め力を大きく設定し過ぎとなり、図７に示す、分割コア２のバックヨーク２ａのコーナ部ａに大きな応力が掛かり、そのコーナ部ａの破損を招く恐れがある。
【０００４】
このため、各分割コア２の下面をハウジング１の内面から内方に突出する爪で支持すると共に、分割コア２の上面にリングを設けて、このリングと前記爪により分割コア２を挟持し、さらに、リングと分割コア２にピンを挿し込み、そのピンにより、分割コア２の周方向への移動を防止した技術がある（特許文献２参照）。
【特許文献２】特開平１１−３０８８３０号公報
【０００５】
ところで、今日、環境問題の点から、ハイブリッド自動車や燃料電池自動車が開発され、これらの自動車は、回転電機を補助駆動源又は主駆動源とし、その回転電機は当然のこととして小型化が要求される。その回転電機の小型化への一手段として、ステータの小型化がある。
また、例えば、ハイブリッド自動車では、バッテリーからの直流をインバータで３相交流に変換し、その３相交流電源を上記各コイルに供給する。今日、その３相交流には約５００Ｖ程度の高電圧が使用されて回転電機の高出力化が図られている。
【０００６】
この回転電機の小型高出力化を図るためには、回転数の増大（高周波化）が考えられるが、高周波化により、ステータＳのコア２内に発生する渦電流損失が増大し、鉄損が大きくなって回転効率の低下が起こる。
このような実情の下、従来の電磁鋼板製の分割コア２に比べ、高周波での鉄損が低い圧紛製分割コアの開発が進められている。この圧紛コアは、粒子内の渦電流を閉じ込めるため、本質的に渦電流を抑制でき、高周波性能が良いものである。
【発明の開示】
【発明が解決しようとする課題】
【０００７】
上記ピンによる分割コアの周方向への移動を防止した技術は、そのピンの挿し込み、リングの装着などの作業工程が多いとともに、部品点数も多く、ステータのコストダウン化には適していない。
特に、分割コア２を圧紛製とした場合、コア２にピン孔を形成することは煩雑である。
【０００８】
また、分割コアを円環状に配置させることは、通常、円筒状の外周面を有する治具のその外周面に沿って分割コアを並べて行うのが一般的である。
その際、並べた分割コアが何らかの事情によって動く恐れがあり、動けば、その後の工程、例えば、ハウジングの嵌め込み工程が遅くなる等、作業性が悪くなる。
【０００９】
この発明は、以上の状況に鑑み、分割コアの周方向への移動の防止（分割コアの円環状固定）を安価かつ簡単な構造により行うことを第１の課題、小型高出力に耐え得るステータとし得ることを第２の課題、分割コアの円環状配置を円滑に行い得るようにすることを第３の課題とする。
【課題を解決するための手段】
【００１０】
上記第１の課題を達成するために、この発明は、分割コアの締結用ハウジングの上下周縁に内側に向かう挟持片を形成し、その両挟持片の分割コアへの圧接によりその分割コアを挟持することとしたのである。
ハウジングの焼き嵌めによる分割コアの締結は、その締結力の正確な算出が困難であるため、その各分割コアの製作公差を吸収すべく、勢い、その焼き嵌め力を大きくしがちであるが、実際には、その締結力はそれほど必要としていない。このため、その締結力を管理できれば、その締結力は必要最小限のものとすることが好ましい。
分割コアの上下面からの挟持による締結は、その挟持力を与えるプレスの下降ストロークを調整する等によってその挟持力を管理し易いため、分割コアの締結力を必要最小限のものとすることができる。
【００１１】
つぎに、上記第２の課題を達成するために、この発明は、分割コアを、圧紛により形成することとしたのである。
圧紛コアは、上述のように、高周波性能が良いものであって、小型高出力化に向いている。しかし、機械的強度に問題はあるが、上記挟持によって、分割コアの締結を行えば、必要最小限の力で持って締結し得るため、圧紛製であっても、その締結によって損傷する恐れはない。
【００１２】
さらに、上記第３の課題を達成するために、この発明は、分割コアを円環状に配置する治具に電磁石機能を持たせたのである。
電磁石は、その吸引力により、治具周りに円環状に配置された各分割コアの内周面を治具外周面に当接させて位置決めするため、容易に円環状態を維持することができ、この状態で、適宜な手段によって、例えば、筒状ハウジングを各分割コアの外周面に嵌めることにより各分割コアを締結すれば、その治具によって位置決めされた各分割コアが一体に締結される。
一体に締結されれば、電磁石の吸引力を解除（電磁石への電力供給を停止）すれば、治具を取り出すことができる。
【発明の効果】
【００１３】
この発明は、以上のように、分割コアを圧粉によって製作し、その分割コアをその上下面からの挟持によって締結するようにしたので、小型高出力に耐え得る安価なステータを得ることができる。
また、電磁石機能付きの治具を使用すれば、ステータの製造を円滑に行うことができる。
【発明を実施するための最良の形態】
【００１４】
この発明の実施形態としては、筒状ハウジング内にその内面に沿って円環状に分割コアを配置し、その各分割コアにそれぞれにコイルを巻回した回転電機のステータにおいて、各分割コアを圧粉からなるものとして、ハウジングの上下周縁には、各分割コアの上下面を挟む片を内側に向かって形成し、その両挟持片の分割コアへの圧接によりその分割コアを挟持した構成を採用することができる。
各分割コアを挟持して締結した後は、樹脂モールド、接着剤の充填等によって分割コアの円環状配置状態を固定するとよい。
【００１５】
このとき、上記上下の挟持片の一方にバネ性を持たせれば、そのバネ性でもって、軸方向の力に対する緩衝作用を行う。すなわち、バネ性は挟持片による軸方向の力を調節する。このため、仮に、上下の挟持片による挟持を強くしても、そのバネ性によって、圧粉製コアの損傷が防止される。
また、上記円環状に配置された分割コアは、その内周面を治具によって位置決めされたものとすれば、ステータ内に設置されるロータとの間隙（ギャップ）が全周面において均一なものとし得る。
【００１６】
この発明の他の実施形態としては、筒状ハウジング内にその内面に沿って円環状に分割コアを配置し、その各分割コアにそれぞれにコイルを巻回した回転電機のステータにおいて、円環状に配置された各分割コアの隣り合う両分割コアのバックヨークの両当接面をステータの軸方向に対し傾斜する面とし、かつ、ハウジングの上下周縁には各分割コアの上下面を挟む片を内側に向かって形成し、その挟持片の分割コアへの圧接によりその分割コアを挟持した構成を採用することができる。
【００１７】
この構成であると、円環状に配置された各分割コアの外周面にハウジングを嵌めて締結した際、各分割コアに配列周方向の力が作用すると、その力によって、隣り合う両分割コアのバックヨークの両当接面において相互に抗力が生じ、その抗力によって、各分割コアに軸方向の力が生じ、その軸方向の力を緩衝するように分割コアは相互に軸方向に移動する。すなわち、各分割コアは軸方向に動いて干渉がなくなった状態で締結される。
因みに、円環状に配置された各分割コアが少し軸方向にズレても、ステータの機能には支障がない。
【００１８】
そのハウジングによる分割コアの締結は、そのハウジングを上下２分割のものとし、その分割した両ハウジングをその軸方向に結合することによって、上記挟持片の分割コアへの圧接によりその分割コアを挟持するようにすることができる。
両ハウジングの軸方向の結合は、溶接、ねじ込み、嵌め込み後に溶接、フランジを設けてそのフランジのねじ締結等を採用する。
以上の構成では、分割コアは電磁鋼板製としても良いが、小型高出力化を図る点から、圧粉製とすると良い。圧粉製コアは脆いため、コアを優しく締結する上記各構成のものは好ましいものと言える。
【００１９】
これらの筒状ハウジング内にその内面に沿って円環状に分割コアを配置し、その各分割コアにそれぞれコイルを巻回した回転電機のステータを製造する方法としては、例えば、円環状に配置する各分割コアの内周面の位置決めを行う治具のその位置決め面の周りに、分割コアを円環状に配置し、その治具に電磁石機能を持たせて、その電磁石の吸引力によって、円環状に配置する各分割コアの内周面を位置決めし、その状態で、円環状の各分割コアを相互に固定した後、電磁石の吸引力を解除して、その治具を円環状に配置した分割コア内から取り出す構成を採用することができる。
【００２０】
この構成において、上記と同様に、筒状ハウジングは上下２分割のものとし、その分割した両ハウジングをその軸方向に嵌合結合することによって、上記挟持片の分割コアへの圧接によりその分割コアを挟持して、円環状の分割コアを相互に固定するものとすることができる。
【００２１】
また、他の製造方法としては、上記製造方法において、上記円環状に配置された各分割コアの隣り合う両分割コアのバックヨークの両当接面をステータの軸方向に対し傾斜する面として、各分割コアに前記軸方向の力が加わった際には、その両当接面において相互に抗力が生じるようにし、分割した両ハウジングをその軸方向に嵌合結合することによって、前記挟持片の分割コアへの圧接によりその分割コアを挟持するとともに、その圧接力によって、隣接する分割コアを、その両者の当接面間の摺動でもって相対的に上下方向に移動させるようにした構成を採用できる。
【００２２】
さらに、他の製造方法としては、上記円環状に配置された各分割コアの隣り合う両分割コアのバックヨークの両当接面をステータの軸方向に対し傾斜する面として、各分割コアに前記軸方向の力が加わった際には、その両当接面において相互に抗力が生じるようにし、ハウジングはその上下周縁に、各分割コアの上下面を挟む片を内側に向かって形成されたものとし、円環状に配置する各分割コアの内周面の位置決めを行う治具のその位置決め面の周りに前記各分割コアを前記円環状に配置し、その状態で、ハウジングをその円環状の分割コアの外周面に嵌めて、両挟持片の分割コアへの圧接によりその分割コアを挟持し、その圧接力によって、隣接する分割コアを、その両者の当接面間の摺動でもって相対的に上下方向に移動させるとともに、その移動により、各分割コアを前記治具に向かって移動させてその内面を治具に圧接させて、前記円環状に配置する各分割コアの内周面を位置決めし、その状態で、円環状の分割コアを相互に固定する構成を採用することができる。
【００２３】
これらの製造方法においては、その分割コアは電磁鋼板製としても良いが、同様に、小型高出力化を図る点から、圧粉製とすると良い。
【実施例】
【００２４】
一実施例を図１〜図５に示し、この実施例は、燃料電池自動車用回転電機やハイブリッド自動車用回転電機のステータＳに係り、従来と同様に、筒状ハウジング１１内にその内面に沿って円環状に分割コア１２を配置し、その各分割コア１２にそれぞれにコイル１３を巻回したものである。通常、コイル１３は、分割コア１２をハウジング１１内に配置する前にそのコア１２に巻回する。
【００２５】
その分割コア１２は、圧紛製であって、その成形時に、図２に示すように、コイル１３の巻回されたコア本体１２ａの後面にバックヨーク１２ｂを有する。このバックヨーク１２ｂの両側端面（隣り合う分割コア１２のバックヨーク１２ｂとの当接面）１２ｃは、円環状に配置された各分割コア１２の軸方向に傾斜している。その傾斜方向は、隣り合う分割コアのバックヨークの当接面１２ｃが図２に示すように逆となっており、各分割コア１２に前記軸方向の力が加わった際には、その両当接面１２ｃ、１２ｃにおいて相互に抗力が生じる。
この抗力によって、各分割コア１２に軸方向の力が生じ、その軸方向の力を吸収するように分割コア１２は相互に軸方向に移動する。すなわち、各分割コアは軸方向に動いて干渉がなくする。この干渉度合を、ステータＳの大きさなどに基づき実験などによって確認して、その当接面１２ｃの傾斜度合を適宜に設定する。
【００２６】
筒状ハウジング１１は、図３に示すように、上下の分割ハウジング１１ａ、１１ｂとからなり、その上側ハウジング１１ａはその外周面が軸方向内側に向く傾斜面となっており、下側ハウジング１１ｂはその内周面が軸方向外側に向く傾斜面となっている（図５参照）。
このため、図５（ｂ）から同（ｃ）に示すように、両ハウジング１１ａ、１１ｂを嵌めると、両者１１ａ、１１ｂでもって、ほぼ同一厚のハウジング１１となる。
【００２７】
上側ハウジング１１ａの上側周縁には、その周方向等間隔に挟持片１５が一体に形成されている。この挟持片１５は各分割コア１２にそれぞれ対応させてもよいが、２つおき等とその対応させる分割コア１２の数は任意である。各分割コア１２は円環状に締結されると、その周方向に相互の抗力によって一体となるため、その一体となった円環状の分割コア１２を周囲等間隔などの任意の位置で上下面でもって挟持すれば良いからである。
【００２８】
下側ハウジング１１ｂの下側周縁にはフランジ１６が形成されており、このフランジ１６と上記挟持片１５によって、各分割コア１２の上下面が挟持される。フランジ１６も周方向に分割された片とすることもできる。この分割片も、上記挟持片１５と同様に、周囲等間隔位置において、その数等は任意である。また、この分割片とした場合、後述のように、上側挟持片１５と同様にコ字状としてバネ性を持たせることができる。
【００２９】
この下側ハウジング１１ｂは、図４に示すように、上記分割コア１２の円環状に配設するための台座となり、その中央に同心に治具２０が配置される。この治具２０の外周面は、円状とされ、この外周面に分割コア１２が円環状に配置されてその内側面が当接すると、その円環状の分割コア１２の中心にロータ４を装填した際、各分割コア１２のなす内周面とロータ４の外周面が所要の隙間を確保するようにその曲率が設定されている。
【００３０】
治具２０は電磁石機能を有しており、その電磁石２１に通電することにより、強磁性の分割コア１２を吸引してその外周面に位置決めする。
治具２０の底面に下側ハウジング１１ｂの底面開口に嵌る台座を別途に設け、その台座をその下側ハウジング１１ｂの底面開口に嵌めることにより、治具２０が下側ハウジング１１ｂと同心となるようにしても良い。
【００３１】
この電磁石機能付き治具２０でもって下側ハウジング１１ｂ内に分割コア１２を円環状に配置した後、図５（ａ）から同（ｂ）に示すように、下側ハウジング１１ｂに上側ハウジング１１ａを嵌め込む。このとき、上側ハウジング１１ａの挟持片１５は、同図に示すようにハウジング１１ａの上縁から内側にほほ直角に曲げた後、その中程で折り返したコ字状として、バネ性を付与されたものとしておく。
【００３２】
つぎに、下側ハウジング１１ｂを固定した状態で、図５（ｃ）に示すように、上側ハウジング１１ａをプレス３０により押し下げて、そのコ字状挟持片１５を各分割コア１２の上面に当接し、この挟持片１５と下側ハウジング１１ｂのフランジ（下側挟持片）１６でもって分割コア１２を挟持する。このとき、コ字状挟持片１５のバネ性によって挟持力が緩衝されて分割コア１２の損傷が防止される。
【００３３】
この上下ハウジング１１ａ、１１ｂが嵌り合った状態は、上下の挟持片１５、１６により分割コア１２を弾力を持って挟持し、その挟持力により、各分割コア１２は、そのバックヨーク１２ｂの両側当接面１２ｃでもって相互に周方向に抗力を及ぼし合って上下動し、その抗力によって、治具２０によって位置決めされた内周面を維持しつつ、その円環状を維持する。すなわち、治具２０が除去されても、その分割コア１２の円環状配置は維持される状態となっている。
【００３４】
上下側のハウジング１１ａ、１１ｂによって分割コア１２が円環状に配置されて締結されれば、同図に示すように、両ハウジング１１ａ、１１ｂをその接合縁ｂ全周に溶接等を行って一体とする。
この一体化により、筒状ハウジング１１内にその内面に沿って円環状に分割コア１２が配置された回転電機のステータＳとなれば、同図（ｄ）に示すように、プレス３０を上昇させてプレス圧を開放するとともに、電磁石の通電を停止して治具２０をハウジング１１から引き出す。
この後、必要に応じて、各分割コアの円環状配置状態を、樹脂モールド、接着剤の充填等によって固定する。
【００３５】
上記実施例の分割コア１２は、単に、そのバックヨーク１２ｂの上下面を挟持片（フランジ）１５、１６で挟持しただけであったが、図６に示すように、そのバックヨーク１２ｂの上下面に凹部１７を形成したものとすれば、その凹部１７に挟持片１５、１６を嵌めることによって分割コア１２の周方向の位置決めを行うことができると共に、上下面での挟持も確実となる。凹部１７は上下のどちらか一方でも良い。
【００３６】
また、ハウジング１１は、２つの分割ハウジング１１ａ、１１ｂをねじ合わせによって嵌め合うようにすることもできる。さらに、２分割とせずに、上下側ハウジング１１ａ、１１ｂを一体もの（１つの円筒体）とし、そのハウジング１１内に分割コア１２を円環状に配置した後、立ち上がっている挟持片１５を折り曲げつつプレスすることにより、分割コア１２を挟持するようにすることもできる。このとき、上述のように、挟持片１５を前もってコ字状に曲げている場合には、その上側ハウジング１１ａの内側空間（穴）又は下側のフランジ１６の内側空間（穴）から分割コア１２をハウジング１１内に入れて配置することもできる。
【００３７】
なお、図５に示す実施例では、ハウジング１１内への分割コア１２の装填時、その円環状分割コア１２の背面（バックヨーク１２ｂの背面）にハウジング１２の内面が当接しないようになっているが、上側ハウジング１１ａの下側ハウジング１１ｂへの結合時に、その上側ハウジング１１ａの内面によって、分割コア１２に支障がでない程度において分割コア１２の背面を押圧するようにすることもできる（上側ハウジング１１ａの内面を分割コア１２背面に圧接するようにすることもできる）。
【００３８】
この発明は、実施例の燃料電池自動車用又はハイブリッド自動車用回転電機のステータＳに限らず、その他の大小を問わず各種の回転電機のステータに採用できることは勿論である。
【図面の簡単な説明】
【００３９】
【図１】一実施例の概略斜視図
【図２】同実施例の分割コアの斜視図
【図３】同実施例のハウジングの斜視図
【図４】同実施例の製作説明用斜視図
【図５】同実施例の製作説明図
【図６】他の実施例の分割コアの斜視図
【図７】従来例の平面図
【符号の説明】
【００４０】
１、１１  筒状ハウジング
１１ａ  上側ハウジング
１１ｂ  下側ハウジング
２、１２  分割コア
３、１３  コイル
１２ｂ  分割コアのバックヨーク
１２ｃ  バックヨークの当接面
１５  上側挟持片
１６  下側挟持片（フランジ）
１７  バックヨークの凹部
２０  電磁石機能付き治具
２１  電磁石
３０  プレス
Ｓ  ステータ
【図１】
2007189783.tif 000003
【図２】
2007189783.tif 000004
【図３】
2007189783.tif 000005
【図４】
2007189783.tif 000006
【図５】
2007189783.tif 000007
【図６】
2007189783.tif 000008
【図７】
2007189783.tif 000009